(57)【要約】【課題】ロック機構を構成する部品の構造を単純化し、加えてロック片の不完全動作状態を目視確認できること。【解決手段】  リリースボタン５のロック体連係部５１にてカム機構を介して連係され、常時突出した状態に付勢されたロック片４ａを、シーリングコンセント１６の栓刃導入口１７に嵌入させてロック状態にする一方、前記ボタンの押圧によりロック片の没入した状態でロック解除するとともに、伸長部５１ａが、ロック片の突出した状態において係止爪７と干渉しない係止爪側方へ退避する一方、ロック片の没入した状態において各係止爪の端面の間に入り込んで当該係止爪の動きを規制するロック機構４０と、伸長部５１ａの下面の色５３を目視確認する開口１４がカバー２に設けられた確認手段５０とを備え、ロック片がシーリングコンセントの作用によって突出した状態から没入した状態になったとき開口１４に色５３が現れる。【選択図】図４
2012160400.tif 000002
【特許請求の範囲】
【請求項１】
天井面に固定されるシーリングコンセントの栓刃導入口に栓刃を差し込み、取り付け方向に回動させて前記栓刃を受け刃に機械的に係止し、かつ電気的に接続する照明器具用取付アダプタであって、
ボディー下面となる開放側がカバーで閉塞されるとともに、前記シーリングコンセント側がボディー上面となる有底筒形のボディーと、
ボディー側面の対称位置から直線運動により出没可能な一対の係止爪を備え、それぞれの係止爪を常時ボディー側面から突出した状態に付勢する弾性体が設けられた係止爪機構と、
ボディー上面から出没可能なロック片を備えたロック体が、ボディー側面に配置されるリリースボタンのロック体連係部にてカム機構を介して連係されており、弾性体により常時ボディー上面から突出した状態に付勢された前記ロック片を、前記シーリングコンセントの栓刃導入口に嵌入させてロック状態にする一方、前記リリースボタンの押圧により前記ロック片の没入した状態にしてロック解除するとともに、前記ロック体連係部の一部をなす伸長部が、前記ロック片の突出した状態において前記一対の係止爪の端面と干渉しない係止爪側方へ退避する一方、前記ロック片の没入した状態においてそれぞれの前記係止爪の端面の間に入り込んで当該係止爪の動きを規制するロック機構と、からなることを特徴とする照明器具用取付アダプタ。
【請求項２】
前記ロック体連係部の一部をなす伸長部の下面の色、および前記伸長部がそれぞれの係止爪の端面の間に入り込む位置に対向して前記カバーに開口が設けられた確認手段を備え、前記シーリングコンセントに対する取り付けにおいて前記シーリングコンセントの作用により前記ロック片が突出した状態から没入した状態になったとき前記開口に現れる色により目視可能にしたことを特徴とする請求項１に記載の照明器具用取付アダプタ。
【請求項３】
天井面に固定されるシーリングコンセントの栓刃導入口に栓刃を差し込み、取り付け方向に回動させて前記栓刃を受け刃に機械的に係止し、かつ電気的に接続する照明器具用取付アダプタであって、
ボディー下面となる開放側がカバーで閉塞されるとともに、前記シーリングコンセント側がボディー上面となる有底筒形のボディーと、
ボディー側面の対称位置から直線運動により出没可能な一対の係止爪を備え、それぞれの係止爪を常時ボディー側面から突出した状態に付勢する弾性体が設けられた係止爪機構と、
ボディー上面から出没可能なロック片を備えたロック体が、ボディー側面に配置されるリリースボタンのロック体連係部にてカム機構を介して連係されており、弾性体により常時ボディー上面から突出した状態に付勢された前記ロック片を、前記シーリングコンセントの栓刃導入口に嵌入させてロック状態にする一方、前記リリースボタンの押圧により前記ロック片の没入した状態にしてロック解除するロック機構と、
前記ロック体連係部の下面に色、および前記ロック片が没入した状態に対向して前記カバーに開口が設けられた確認手段と、を備え、前記シーリングコンセントに対する取り付けにおいて前記シーリングコンセントの作用により前記ロック片が突出した状態から没入した状態になったとき前記開口に現れる色により目視可能にしたことを特徴とする照明器具用取付アダプタ。
【請求項４】
前記カム機構が、所定傾斜角のカム溝と、該カム溝に係合するカム突部とからなることを特徴とする請求項１〜３のいずれかに記載の照明器具用取付アダプタ。
【請求項５】
前記カバーの開口に現れる色が、リリースボタンの成型体の色、またはリリースボタンの下面の着色部分であることを特徴とする請求項２または３に記載の照明器具用取付アダプタ。
【請求項６】
前記カバーの開口に現れる色が、赤色であることを特徴とする請求項５に記載の照明器具用取付アダプタ。
【発明の詳細な説明】
【技術分野】
【０００１】
本発明は、天井に固定されるシーリングコンセントに取り付ける天井直付照明器具に用いる照明器具用取付アダプタに関する。
【背景技術】
【０００２】
従来の天井直付型照明器具用取付装置は、天井に固定されるシーリングコンセントと、このシーリングコンセントに取り付けられる照明器具用取付アダプタ（以下、取付アダプタと称す）とからなる。取付アダプタは、栓刃をシーリングコンセントの栓刃導入口に差し込み、取り付け方向（時計回り）に回動させて受け刃に機械的に係止し、同時に電気的に接続する、一方、反時計回りに回動させることで取り外し可能となっている。
【０００３】
このような装置においては、シーリングコンセントに対する取付アダプタの回転止め（ロック）機構および照明器具を取付アダプタに装着する係止爪機構が備えられている。これら両機構は機能的に独立して構成されており、ロック機構に関係なく係止爪機構の操作が可能になっている（引用文献１，引用文献２）。
【０００４】
上記機構を備えた装置では、シーリングコンセントに対して取付アダプタが止るまで回動されずに取り付けられるとロック機構が不完全ロック状態となるため、照明器具本体は取付アダプタの係止爪に正規な状態で係止されなくなる。
【０００５】
シーリングコンセントに対して取付アダプタが止るまで回動されずに取り付けられた場合には、照明器具本体の取り付けができなくする手段を備えたロック機構が提案されている。例えば、引用文献３には、左右の係止部材の後部にそれぞれ嵌合凹部を設け、ロック状態では嵌合凹部に嵌合して各係止爪をアダプタベースの両側部から没入した状態に移動可能とする一方、ロック解除状態では左右の係止部材の後部に当接して各係止爪をアダプタベースの両側部からそれぞれ突出した状態にロックする係止爪ロック部をロック部材に設けた構造が開示されている。
【０００６】
しかしながら、ロック部材に一体化された係止爪ロック部は、左右の係止部材の動線に対して上下方向に直交して動き、かつ左右の係止部材が出没する際の運動軌跡内に常時存在する構造になっている。そのため、各係止部材の後部には各係止爪をアダプタベースの両側部から没入した状態に移動可能とするための嵌合凹部が必要となり、ロック部材および各係止部材の構造が複雑になっている。また、ロック状態において係止爪が移動する際、係止爪の嵌合凹部内でロック部材の係止爪ロック部との間に、接触が起こる可能性もある。更に、シーリングコンセントに対して取付アダプタを回動させ、シーリングコンセントの作用によりロック爪部が押し込められて没入した状態、すなわち取付アダプタが止るまで回動されていない状態は、係止爪を操作し移動可能であるか否かを確認しなければならなかった。
【先行技術文献】
【特許文献】
【０００７】
【特許文献１】特開平７−３７４１０号公報
【特許文献２】特開平１１−２１３７４５号公報
【特許文献３】特許第４１１９０７１号公報
【発明の概要】
【発明が解決しようとする課題】
【０００８】
解決しようとする問題点は、ロック解除状態において各係止爪の端面の間に入り込み、各係止爪を突出した状態にロックする手段が、ロック状態において係止爪の端面の運動軌跡内に常に存在し、係止爪との干渉が避けられないことである。
加えて、シーリングコンセントに対して取付アダプタを取り付ける際に、栓刃を栓刃導入口に差し込んだ時点から回転止めされるまでの過程において、シーリングコンセントの作用によるロック片の没入した状態を目視確認できないことである。
【課題を解決するための手段】
【０００９】
請求項１に記載の発明は、天井面に固定されるシーリングコンセントの栓刃導入口に栓刃を差し込み、取り付け方向に回動させて前記栓刃を受け刃に機械的に係止し、かつ電気的に接続する照明器具用取付アダプタであって、ボディー下面となる開放側がカバーで閉塞されるとともに、前記シーリングコンセント側がボディー上面となる有底筒形のボディーと、ボディー側面の対称位置から直線運動により出没可能な一対の係止爪を備え、それぞれの係止爪を常時ボディー側面から突出した状態に付勢する弾性体が設けられた係止爪機構と、ボディー上面から出没可能なロック片を備えたロック体が、ボディー側面に配置されるリリースボタンのロック体連係部にてカム機構を介して連係されており、弾性体により常時ボディー上面から突出した状態に付勢された前記ロック片を、前記シーリングコンセントの栓刃導入口に嵌入させてロック状態にする一方、前記リリースボタンの押圧により前記ロック片の没入した状態にしてロック解除するとともに、前記ロック体連係部の一部をなす伸長部が、前記ロック片の突出した状態において前記一対の係止爪の端面と干渉しない係止爪側方へ退避する一方、前記ロック片の没入した状態においてそれぞれの前記係止爪の端面の間に入り込んで当該係止爪の動きを規制するロック機構と、からなることを特徴とする。
【００１０】
請求項２の発明は、請求項１の記載において、ロック体連係部の一部をなす伸長部の下面に着色部分、および前記伸長部がそれぞれの係止爪の端面の間に入り込む位置に対向して前記カバーに開口が設けられた確認手段を備え、前記シーリングコンセントに対する取り付けにおいて前記シーリングコンセントの作用により前記ロック片が突出した状態から没入した状態になったとき前記開口に現れる着色部分により目視可能にしたことを特徴とする。
【００１１】
請求項３の発明は、天井面に固定されるシーリングコンセントの栓刃導入口に栓刃を差し込み、取り付け方向に回動させて前記栓刃を受け刃に機械的に係止し、かつ電気的に接続する照明器具用取付アダプタであって、
ボディー下面となる開放側がカバーで閉塞されるとともに、前記シーリングコンセント側がボディー上面となる有底筒形のボディーと、ボディー側面の対称位置から直線運動により出没可能な一対の係止爪を備え、それぞれの係止爪を常時ボディー側面から突出した状態に付勢する弾性体が設けられた係止爪機構と、ボディー上面から出没可能なロック片を備えたロック体が、ボディー側面に配置されるリリースボタンのロック体連係部にてカム機構を介して連係されており、弾性体により常時ボディー上面から突出した状態に付勢された前記ロック片を、前記シーリングコンセントの栓刃導入口に嵌入させてロック状態にする一方、前記リリースボタンの押圧により前記ロック片の没入した状態にしてロック解除するロック機構と、前記ロック体連係部の下面に色、および前記ロック片が没入した状態に対向して前記カバーに開口が設けられた確認手段と、を備え、前記シーリングコンセントに対する取り付けにおいて前記シーリングコンセントの作用により前記ロック片が突出した状態から没入した状態になったとき前記開口に現れる色により目視可能にしたことを特徴とする。
【００１２】
その他の特徴構成として、カム機構が、所定傾斜角のカム溝と、該カム溝に係合するカム突部とからなる。また、カバーの開口に現れる色は、リリースボタンの成型体自体の色やリリースボタンの下面の一部に設けた着色部分であり、好ましくは赤色である。
【発明の効果】
【００１３】
請求項１の発明によれば、ロック機構を構成する部品の構造を単純化するとともに、照明器具の落下に対する安全性および照明器具の着脱操作性を向上させる。
請求項２の発明によれば、シーリングコンセントに対して取付アダプタを回動させて取り付ける過程において、シーリングコンセントの作用によるロック片の没入した状態、すなわち不完全動作状態を目視確認できる。
請求項３の発明によれば、ロック機構に関係なく係止爪機構の操作ができるタイプの取付アダプタに確認手段を備えることで、ロック片の不完全動作状態を目視確認できる。
【図面の簡単な説明】
【００１４】
【図１】図１は、直付照明器具の取り付け状態を示す説明図である。
【図２】図２は、シーリングコンセントと照明器具用取付アダプタを示す説明図である。
【図３】図３は、照明器具用取付アダプタの斜視図である。
【図４】図４は、照明器具用取付アダプタを下方から見た分解斜視図である。
【図５Ａ】図５Ａは、ロック機構の分解図である。
【図５Ｂ】図５Ｂは、弾性体の配置を変えたロック機構の説明図である。
【図５Ｃ】図５Ｃは、赤色成型体のリリースボタンで構成されたロック機構の分解図である。
【図６Ａ】図６Ａは、ロック解除状態を示す一部破断した説明図である。
【図６Ｂ】図６Ｂは、図６ＡのＡ−Ａ線に沿った断面図である。
【図７Ａ】図７Ａは、ロック状態を示す一部破断した説明図である。
【図７Ｂ】図７Ｂは、図７ＡのＢ−Ｂ線に沿った断面図である。
【図８】図８は、栓刃を栓刃導入口に差し込んだときのシーリングコンセントと照明器具用取付アダプタの説明図である。
【図９】図９は、栓刃を栓刃導入口に差し込んだときの係止爪機構とロック機構の説明図である。
【図１０】図１０は、栓刃を栓刃導入口に差し込んだときの確認手段の説明図である。
【図１１】図１１は、シーリングコンセントの作用によってロック片が没入した状態となったときの説明図である。
【図１２】図１２は、シーリングコンセントの作用によってロック片が没入した状態となったときの係止爪機構とロック機構の説明図である。
【図１３】図１３は、シーリングコンセントの作用によってロック片が没入した状態となったときの確認手段の説明図である。
【図１４】図１４は、ロック片が突出してシーリングコンセントの栓刃導入口に嵌入し、ロック状態となったときの説明図である。
【図１５】図１５は、ロック片が突出してシーリングコンセントの栓刃導入口に嵌入し、ロック状態となったときの係止爪機構とロック機構の説明図である。
【図１６】図１６は、ロック片が突出してシーリングコンセントの栓刃導入口に嵌入し、ロック状態となったときの確認手段の説明図である。
【図１７】図１７は、他の実施形態の説明図である。
【発明を実施するための形態】
【００１５】
ロック状態においてリリースボタンのロック体連係部の一部をなす伸長部が、それぞれの係止爪の端面と干渉しない係止爪側方へ退避し、外力による係止爪の押し込みを可能にする一方、シーリングコンセントの作用によるロック片の没入した状態においてそれぞれの係止爪の間に入り込んで係止爪の動きを規制し、開口に現れる着色部分によってシーリングコンセントと取付アダプタとのロックが不完全状態であることを目視確認できるようにした。
以下に、図面を参照しながら実施例を詳しく説明する。
【実施例１】
【００１６】
図１は直付照明器具の取り付け状態を示す説明図、図２はシーリングコンセントと照明器具用取付アダプタを示す説明図、図３は照明器具用取付アダプタの斜視図である。
【００１７】
天井面２０に固定されたシーリングコンセント１６に照明器具用取付アダプタ（以下、取付アダプタと称す）１５を取り付け、この取付アダプタ１５に照明器具２１が装着される。
【００１８】
取付アダプタ１５は、有底筒形のボディー１と、このボディ１の開放側にカバー２がビス１０止めされ、塞がれている。ボディー１の底を天井側にしてシーリングコンセント１６に取り付けるため、説明上、ボディー１の底側はボディー上面、カバー２側はボディー下面と言う。
【００１９】
ボディー１には、ロック体４とリリースボタン５を備えるロック機構４０と、一対の係止爪７およびそれぞれの係止爪７を動かす係止爪操作部７１を備える係止爪機構３０と、ロック片４ａが不完全動作位置にあるか否かを目視する確認手段５０と、を具備する。
【００２０】
ボディー下面には、係止爪操作部７１に対向して操作開口部２４がカバー２に形成されている。ボディー上面には、ボディー１内から延出されて一対の栓刃３がボディー１の中心にして対角位置に設けられており、一方の栓刃３の近くにロック体４のロック片４ａが配置されている。
【００２１】
シーリングコンセント１６は、一対の栓刃３を差し込むための幅広の一対の栓刃導入口１７が設けられ、この栓刃導入口１７から刃厚より若干大きい幅の円弧状のスリット１７ａが形成されており、取付アダプタ１５を装着する際に、取付アダプタ１５の取り付け方向（時計回り）の回動を可能にしている。取付アダプタ１５の栓刃３をシーリングコンセント１６の栓刃導入口１７に差し込み、時計回りに回動させると栓刃３が受け刃（図示せず）に機械的に係止され、かつ電気的に接続される。
【００２２】
照明器具２１は、照明器具本体２２とセード２３からなり、取付アダプタ１５に照明器具本体２２の取付け孔を嵌合し、係止爪７を取付け孔周縁に係止することで取り付けられる。栓刃３に端子接続された電線１２のコネクタ１３は照明器具２１側のコネクタに接続され、使用可能となる。
【００２３】
取付アダプタを詳しく説明する。図４は取付アダプタを下方から見た斜視図である。
ボディー１の内部は、ボディー中心部分に係止爪７の直線運動に直交する仕切り壁３２と、係止爪機構３０を構成する係止爪７の直線運動を案内する左右の側壁３３が設けられ、この側壁間のボディー側面に切り欠き３１が形成されている。係止爪７は、仕切り壁３２と側壁３３に囲われた空間に組み込まれ、切り欠き３１から突出可能に設けられている。
【００２４】
係止爪機構３０は、ボディー側面の対称位置から突出する独立した一対の係止爪７を備えており、それぞれの係止爪７の端面には対称でかつ仕切り壁３２と干渉しない位置に当接部７３が一体成形されている。係止爪７の端面近傍に形成された凹状の係止部７４（図９参照）と仕切り壁３２との間に弾性体８が介装され係止爪７を常時突出した状態に付勢している。係止爪７の上面には、図９に示されているように突起７２が設けられている。一方、ボディー１の底面には、係止爪７の直線運動方向に案内溝３４が形成され、この案内溝３４に係止爪７の突起７２が案内される。係止爪７の下面には、指先で操作するための係止爪操作部７１が設けられている。
【００２５】
ロック機構を図４および図５を参照しながら説明する。
ロック機構４０は、係止爪７の運動方向に対して直交する方向に動作するリリースボタン５と、このリリースボタン５に連係されてボディー１の上下方向に動作する、ロック片４ａを備えたロック体４と、ロック片４ａを常時ボディー上面から突出した状態にロック体４を付勢する弾性体６とからなる。リリースボタン５は、ボディー側面の凹部１ａに押圧部分を露出させ、該押圧部分より幅広のロック体連係部５１がボディー１内の仕切られた場所に組み付けられる。ロック体連係部５１は、上下方向が開放され、その内面に対向してカム突部５２が設けられており、上記押圧部分とは反対側に当該連係部５１と同じ幅の伸張部５１ａが一体成形されている。
【００２６】
ロック体４は、ロック片４ａと断面矩形の基部が一体成形されており、その基部の側面および反対側の側面に所定傾斜角のカム溝１８が形成されている。カム溝１８には、ロック体連係部５１の円形のカム突部５２に係合し、カム機構を構成している。カム機構は、リリースボタン５を押圧すると弾性体６の付勢力に抗してロック体４を移動させロック片４ａをボディー上面から内部に没入させ、ロック解除状態にする（図６の状態）。リリースボタン５の押圧を解くと弾性体６の付勢力によってロック片４ａをボディー上面から突出した状態となり、ロック状態にする（図７の状態）。
【００２７】
弾性体６は、図５Ａに示されているようにカバー２とロック体４との間に配置する構成、あるいは図５Ｂに示されているようにリリースボタン５の端面とボディー１との間に配置する構成のいずれでも実施可能である。また、カム溝１８とカム突部５２も逆の関係、すなわちカム溝１８をロック体連係部５１、カム突部５２をロック体４に設けても良い。
【００２８】
ロック片が不完全動作状態にあるか否かを目視確認する手段について図５〜７を参照しながら説明する。
確認手段５０は、リリースボタン５のロック体連係部５１の一部をなす伸長部５１ａの下面端縁側に所定幅の着色部分５３を設け、この着色部分５３に対向する開口１４がカバー２に形成されている。ロック体連係部５１の伸長部５１ａは、ロック片４ａの突出した状態のみそれぞれの係止爪７の端面と干渉しない係止爪側方へ退避する（図９，図１５の状態）一方、前記ロック片４ａの没入した状態においてそれぞれの係止爪７の端面の間に入り込んで当該係止爪７の動きを規制する（図１２の状態）。
【００２９】
図６に示す状態では、着色部分５３がカバー２の開口１４に現れているので、ロック片４ａが不完全な動作状態にあることを目視確認できる。図７に示す状態では、着色部分５３がカバー２の開口１４に現れていないので、ロック片４ａが正常な動作状態にあることを目視確認できる。着色部分５３は、赤色が好ましい。
【００３０】
他の具体例として、リリースボタン５が、例えば、赤色の成形体（図５Ｃ参照）で作製されている場合、リリースボタン５の一部を開口１４から目視確認できるように構成することもできる。
【００３１】
次に、本実施例の作用を説明する。
先ず、図８に示すように、シーリングコンセント１６の栓刃導入口１７に取付アダプタ１５の栓刃３を差し込む。この時、図９に示すようにリリースボタン５と係止爪７はボディー側面から突出している。ロック片４ａはボディー上面から突出し、正常の動作状態にある。ロック体連係部５１の伸長部５１ａは、開口１４から外れた位置、すなわち係止爪側方へ退避させた位置にあって、図１０に示すように開口１４には着色部分５３が現れないので、ロック片４ａは正常な動作状態にあることが目視確認できる。この状態では、外力により係止爪７をボディー１の内部に押し込める。
【００３２】
続いて、取付アダプタ１５を取り付け方向（時計回り）に回動させるとシーリングコンセント１６の下面がロック片４ａに当接し、更に回動させるとシーリングコンセント１６の作用によりロック片４ａをボディー１内に押し込め、没入した状態になる。この過程において、ロック片４ａの動きはリリースボタン５をボディー中央寄りに動かす。これにより、図１２に示すようにロック体連係部５１の伸長部５１ａは、一方の係止爪７の端面と他方の係止爪７の当接部７３との間に入り込み、同時に開口１４が塞がれる。この状態において、係止爪７のボディー内への押し込みが阻止され、開口１４に着色部分５３が現れる（図１３の状態）。開口１４に着色部分５３が現れるとロック片４ａが不完全な動作状態にあることを目視確認できる。
【００３３】
更に、取付アダプタ１５を取り付け方向に回動させるとロック片４ａが栓刃導入口１７に一致した時点で突出し、ロック片４ａが栓刃導入口１７に嵌入し、取付アダプタ１５の取り外し方向（反時計回り）の回動をロックする。この時のロック片４ａの動きによってリリースボタン５がボディー側面から突出する方向に動き、ロック体連係部５１の伸長部５１ａが係止爪７間から外れて、それぞれの係止爪７の端面と干渉しない係止爪側方へ退避し、外力による係止爪７の押し込みが可能となる。この状態では、開口１４から着色部分５３が消えているので、これを見て照明器具の正しい取り付けができる。
【００３４】
図１７は、本発明の他の実施形態を示す説明図である。
本実施例は、リリースボタン５が係止爪７の動きを規制しないタイプの取付アダプタに適用したものである。リリースボタン５は、図１１に示す状態、すなわちロック片４ａがシーリングコンセント１６の作用により押し込まれた不完全動作状態のとき、係止爪７の端面の間に入り込む伸長部を持っていないため、図１７中に矢印で示した方向に係止爪７を押すとボディー１内に引っ込めることができる。カバー２には、係止爪の動線から外れた位置でかつロック片４ａが不完全動作状態においてリリースボタン５の下面と重なっている部分に開口１４が設けられている。
このような構成によれば、シーリングコンセント１６に対して取付アダプタ１５が止るまで回動されずに取り付けられた場合、すなわちロック片４ａの不完全動作状態の場合でも、カバー２の開口１４に現れるリリースボタン５の色やリリースボタン５の下面に設けられた着色部分の色により目視確認できる。
【００３５】
上記実施例では、角型のシーリングコンセントに対して取付アダプタを所定角度の回動によってシーリングコンセントがロック機構のロック片に作用して突出した状態から没入した状態にするタイプへの適用であるが、本発明は、これに限定されない。丸型のシーリングコンセントの場合、栓刃を栓刃導入口に差し込むと、シーリングコンセントはロック片に対して押し込む方向に当接し、この時のシーリングコンセントの作用により回動前にロック片を突出した状態から没入した状態にする。この種のタイプでは、栓刃を栓刃導入口に差し込んだ時点から回転止めされるまでの過程においてロック片の不完全動作状態となるため、本発明の確認手段を適用することは有効である。
【符号の説明】
【００３６】
１    ボディー
２    カバー
３    栓刃
４    ロック体
４ａ  ロック片
５    リリースボタン
６    弾性体
７    係止爪
８    弾性体
１４  開口
１５  照明器具用取付アダプタ
１６  シーリングコンセント
１７  栓刃導入口
１８  カム溝
２０  天井面
２１  照明器具
２２  照明器具本体
２３  セード
３０  係止爪機構
４０  ロック機構
５０  確認手段
５１  ロック体連係部
５１ａ  伸長部
５２  カム突部
５３  着色部分
【図１】
2012160400.tif 000003
【図２】
2012160400.tif 000004
【図３】
2012160400.tif 000005
【図４】
2012160400.tif 000006
【図５Ａ】
2012160400.tif 000007
【図５Ｂ】
2012160400.tif 000008
【図５Ｃ】
2012160400.tif 000009
【図６Ａ】
2012160400.tif 000010
【図６Ｂ】
2012160400.tif 000011
【図７Ａ】
2012160400.tif 000012
【図７Ｂ】
2012160400.tif 000013
【図８】
2012160400.tif 000014
【図９】
2012160400.tif 000015
【図１０】
2012160400.tif 000016
【図１１】
2012160400.tif 000017
【図１２】
2012160400.tif 000018
【図１３】
2012160400.tif 000019
【図１４】
2012160400.tif 000020
【図１５】
2012160400.tif 000021
【図１６】
2012160400.tif 000022
【図１７】
2012160400.tif 000023
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
天井面に固定されるシーリングコンセントの栓刃導入口に栓刃を差し込み、取り付け方向に回動させて前記栓刃を受け刃に機械的に係止し、かつ電気的に接続する照明器具用取付アダプタであって、
ボディー下面となる開放側がカバーで閉塞されるとともに、前記シーリングコンセント側がボディー上面となる有底筒形のボディーと、
ボディー側面の対称位置から直線運動により出没可能な一対の係止爪を備え、それぞれの係止爪を常時ボディー側面から突出した状態に付勢する弾性体が設けられた係止爪機構と、
ボディー上面から出没可能なロック片を備えたロック体が、ボディー側面に配置されるリリースボタンのロック体連係部にてカム機構を介して連係されており、弾性体により常時ボディー上面から突出した状態に付勢された前記ロック片を、前記シーリングコンセントの栓刃導入口に嵌入させてロック状態にする一方、前記リリースボタンの押圧により前記ロック片の没入した状態にしてロック解除するとともに、前記ロック体連係部の一部をなす伸長部は前記ボディ内に位置し、該伸長部が前記ロック片の突出した状態において前記一対の係止爪の端面と干渉しない係止爪側方のボディ内部へ退避する一方、前記ロック片の没入した状態においてそれぞれの前記係止爪の端面の間に入り込んで当該係止爪の動きを規制するロック機構と、からなることを特徴とする照明器具用取付アダプタ。
【請求項２】
前記ロック体連係部の一部をなす伸長部の下面の色、および前記伸長部がそれぞれの係止爪の端面の間に入り込む位置に対向して前記カバーに開口が設けられた確認手段を備え、前記シーリングコンセントに対する取り付けにおいて前記シーリングコンセントの作用により前記ロック片が突出した状態から没入した状態になったとき前記開口に現れる色により目視可能にしたことを特徴とする請求項１に記載の照明器具用取付アダプタ。
【請求項３】
前記カム機構が、所定傾斜角のカム溝と、該カム溝に係合するカム突部とからなることを特徴とする請求項１または２に記載の照明器具用取付アダプタ。
【請求項４】
前記カバーの開口に現れる色が、リリースボタンの成型体の色、またはリリースボタンの下面の着色部分であることを特徴とする請求項２に記載の照明器具用取付アダプタ。
【請求項５】
前記カバーの開口に現れる色が、赤色であることを特徴とする請求項４に記載の照明器具用取付アダプタ。
【手続補正２】
【補正対象書類名】明細書
【補正対象項目名】０００９
【補正方法】変更
【補正の内容】
【０００９】
請求項１に記載の発明は、天井面に固定されるシーリングコンセントの栓刃導入口に栓刃を差し込み、取り付け方向に回動させて前記栓刃を受け刃に機械的に係止し、かつ電気的に接続する照明器具用取付アダプタであって、
ボディー下面となる開放側がカバーで閉塞されるとともに、前記シーリングコンセント側がボディー上面となる有底筒形のボディーと、
ボディー側面の対称位置から直線運動により出没可能な一対の係止爪を備え、それぞれの係止爪を常時ボディー側面から突出した状態に付勢する弾性体が設けられた係止爪機構と、
ボディー上面から出没可能なロック片を備えたロック体が、ボディー側面に配置されるリリースボタンのロック体連係部にてカム機構を介して連係されており、弾性体により常時ボディー上面から突出した状態に付勢された前記ロック片を、前記シーリングコンセントの栓刃導入口に嵌入させてロック状態にする一方、前記リリースボタンの押圧により前記ロック片の没入した状態にしてロック解除するとともに、前記ロック体連係部の一部をなす伸長部は前記ボディ内に位置し、該伸長部が前記ロック片の突出した状態において前記一対の係止爪の端面と干渉しない係止爪側方のボディ内部へ退避する一方、前記ロック片の没入した状態においてそれぞれの前記係止爪の端面の間に入り込んで当該係止爪の動きを規制するロック機構と、からなることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】変更
【補正の内容】
【００１３】
請求項１の発明によれば、ロック機構を構成する部品の構造を単純化するとともに、照明器具の落下に対する安全性および照明器具の着脱操作性を向上させる。
請求項２の発明によれば、シーリングコンセントに対して取付アダプタを回動させて取り付ける過程において、シーリングコンセントの作用によるロック片の没入した状態、すなわち不完全動作状態を目視確認できる。
【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
天井面に固定されるシーリングコンセントの栓刃導入口に栓刃を差し込み、取り付け方向に回動させて前記栓刃を受け刃に機械的に係止し、かつ電気的に接続する照明器具用取付アダプタであって、
ボディー下面となる開放側がカバーで閉塞されるとともに、前記シーリングコンセント側がボディー上面となる有底筒形のボディーと、
ボディー側面の対称位置から直線運動により出没可能な一対の係止爪を備え、それぞれの係止爪を常時ボディー側面から突出した状態に付勢する弾性体が設けられた係止爪機構と、
ボディー上面から出没可能なロック片を備えたロック体が、ボディー側面に配置されるリリースボタンのロック体連係部にてカム機構を介して連係されており、弾性体により常時ボディー上面から突出した状態に付勢された前記ロック片を、前記シーリングコンセントの栓刃導入口に嵌入させてロック状態にする一方、前記リリースボタンの押圧により前記ロック片の没入した状態にしてロック解除するとともに、前記ロック体連係部の一部をなす伸長部は前記ボディ内に位置し、該伸長部が前記ロック片の突出した状態において前記一対の係止爪の端面と干渉しない係止爪側方のボディ内部へ退避する一方、前記ロック片の没入した状態においてそれぞれの前記係止爪の端面の間に入り込んで当該係止爪の動きを規制するロック機構と、
前記ロック体連係部の一部をなす伸長部の下面の色、および前記伸長部がそれぞれの係止爪の端面の間に入り込む位置に対向して前記カバーに形成された開口から成る確認手段と、を備え、
前記シーリングコンセントに対する取り付けにおいて前記シーリングコンセントの作用により前記ロック片が突出した状態から没入した状態になったとき前記開口に現れる色により目視可能にしたことを特徴とする照明器具用取付アダプタ。
【請求項２】
前記カム機構が、所定傾斜角のカム溝と、該カム溝に係合するカム突部とからなることを特徴とする請求項１に記載の照明器具用取付アダプタ。
【請求項３】
前記カバーの開口に現れる色が、リリースボタンの成型体の色、またはリリースボタンの下面の着色部分であることを特徴とする請求項１に記載の照明器具用取付アダプタ。
【請求項４】
前記カバーの開口に現れる色が、赤色であることを特徴とする請求項３に記載の照明器具用取付アダプタ。
【手続補正２】
【補正対象書類名】明細書
【補正対象項目名】０００９
【補正方法】変更
【補正の内容】
【０００９】
請求項１に記載の発明は、天井面に固定されるシーリングコンセントの栓刃導入口に栓刃を差し込み、取り付け方向に回動させて前記栓刃を受け刃に機械的に係止し、かつ電気的に接続する照明器具用取付アダプタであって、
ボディー下面となる開放側がカバーで閉塞されるとともに、前記シーリングコンセント側がボディー上面となる有底筒形のボディーと、
ボディー側面の対称位置から直線運動により出没可能な一対の係止爪を備え、それぞれの係止爪を常時ボディー側面から突出した状態に付勢する弾性体が設けられた係止爪機構と、
ボディー上面から出没可能なロック片を備えたロック体が、ボディー側面に配置されるリリースボタンのロック体連係部にてカム機構を介して連係されており、弾性体により常時ボディー上面から突出した状態に付勢された前記ロック片を、前記シーリングコンセントの栓刃導入口に嵌入させてロック状態にする一方、前記リリースボタンの押圧により前記ロック片の没入した状態にしてロック解除するとともに、前記ロック体連係部の一部をなす伸長部は前記ボディ内に位置し、該伸長部が前記ロック片の突出した状態において前記一対の係止爪の端面と干渉しない係止爪側方のボディ内部へ退避する一方、前記ロック片の没入した状態においてそれぞれの前記係止爪の端面の間に入り込んで当該係止爪の動きを規制するロック機構と、
前記ロック体連係部の一部をなす伸長部の下面の色、および前記伸長部がそれぞれの係止爪の端面の間に入り込む位置に対向して前記カバーに形成された開口から成る確認手段と、を備え、
前記シーリングコンセントに対する取り付けにおいて前記シーリングコンセントの作用により前記ロック片が突出した状態から没入した状態になったとき前記開口に現れる色により目視可能にしたことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１３
【補正方法】変更
【補正の内容】
【００１３】
請求項１の発明によれば、ロック機構を構成する部品の構造を単純化するとともに、照明器具の落下に対する安全性および照明器具の着脱操作性を向上させる。また、シーリングコンセントに対して取付アダプタを回動させて取り付ける過程において、シーリングコンセントの作用によるロック片の没入した状態、すなわち不完全動作状態を目視確認できる。